(57)【要約】【課題】病院等の医療介護施設の収入増加に寄与するコンテンツ提供システムを提供する。【解決手段】コンテンツ提供システムは、コンテンツ提供事業体１と医療介護施設２からなる。コンテンツ提供事業体１は医療介護施設２へコンテンツを提供するコンテンツ提供手段３を備え、コンテンツ提供手段３は通信網９を介して医療介護施設２へコンテンツを送信するコンテンツ送信手段４を備える。医療介護施設２はコンテンツ提供事業体１から提供されるコンテンツを受領するコンテンツ受領手段５と、受領したコンテンツを表示するコンテンツ表示手段６を備え、コンテンツ受領手段はコンテンツ送信手段４からコンテンツを受信すると共に通信網９を介してコンテンツ表示手段６へコンテンツを配信するコンテンツ配信手段７を備え、コンテンツ表示手段６は配信されたコンテンツを受信するコンテンツ受信手段８を備える。【選択図】図１
2007128303.tif 000002
【特許請求の範囲】
【請求項１】
医療介護施設と、該医療介護施設へコンテンツを提供するコンテンツ提供事業体とを有するコンテンツ提供システムであって、
前記コンテンツ提供事業体は、前記医療介護施設へコンテンツを提供するコンテンツ提供手段を備え、
前記医療介護施設は、前記コンテンツ提供事業体から提供されるコンテンツを受領するコンテンツ受領手段と、
前記コンテンツ受領手段が受領したコンテンツを表示するコンテンツ表示手段とを備える
コンテンツ提供システム。
【請求項２】
前記コンテンツ提供手段は、通信網を介して前記医療介護施設へコンテンツを送信するコンテンツ送信手段を備え、
前記コンテンツ受領手段は、前記コンテンツ送信手段からコンテンツを受信すると共に通信網を介して前記コンテンツ表示手段へコンテンツを配信するコンテンツ配信手段を備え、
前記コンテンツ表示手段は、前記コンテンツ配信手段から配信されたコンテンツを受信するコンテンツ受信手段を備える
請求項１に記載のコンテンツ提供システム。
【請求項３】
前記コンテンツ表示手段は、映像や音声を出力する出力手段と、プリペイドカードの度数情報を読み取ると共に度数の減算消却を行う度数処理手段と、ＤＶＤを再生するＤＶＤ再生手段と、課金体系を設定する課金設定手段とを備える
請求項１または請求項２に記載のコンテンツ提供システム。
【発明の詳細な説明】
【技術分野】
【０００１】
本発明はコンテンツ提供システムに関する。詳しくは、医療介護施設における有料テレビジョン受像機の利用を促進するコンテンツ提供システムに係るものである。
【背景技術】
【０００２】
病院等の医療介護施設では、病室毎にテレビジョン受像機が設置され、テレビジョン受像機を利用する場合、入院患者や面会者等の施設利用者は、所定の金額が記憶された磁気カード（プリペイドカード）を、病院内の売店等で購入し、磁気カードを使用してテレビジョン受像機を有料で利用しており、磁気カードの売上が病院等の貴重な収入源の一つとなっている。
【０００３】
そこで、病院等において磁気カードを用いて気軽にビデオやテレビを見ることができる様々な装置が提供されており、例えば特許文献１には、画像あるいは画像と音声を出力する表示体と、表示体に画像または音声信号を送信するテレビジョン受像機あるいはビデオ装置と、プリペイドカードの度数情報の読み取り及び消却を行うカードリーダとを備え、テレビジョン受像機かビデオ装置のいずれかの使用状態を判別すると共に、ビデオ装置を使用する場合に予めビデオテープに記録される情報を読み取り、その種類を判別する判別手段と、判別手段により判別されたテレビジョン受像機の使用状態、使用時間に基づき、予めテレビジョン受像機、ビデオテープの種類ごとに異なるビデオ装置の使用時間当たりの度数情報により、カードリーダに挿入されたプリペイドカードに記録された度数からその度数を減算消却する度数処理手段とを備える有料テレビジョン、有料ビデオの料金徴収システムが開示されている。
【０００４】
【特許文献１】特開平９−３２６０８５号公報
【発明の開示】
【発明が解決しようとする課題】
【０００５】
ところで、一般的に、テレビジョン受像機があれば無料でテレビジョン放送を見ることができるが、病院等の医療介護施設では有料でテレビジョン放送を見なければならず、無料でテレビジョン放送を見ることに慣れた入院患者等の施設利用者は、プリペイドカードを購入してテレビジョン放送を見ることに少なからず抵抗感を持っているため、プリペイドカードを買い控える傾向にあり、その結果、病院等の医療介護施設の収入が減少するという問題があった。
また、テレビジョン放送ではなくビデオテープに記録された情報を見る場合でも、わざわざ入院患者や面会者等がビデオテープを持ち込まなくてはならないため、プリペイドカードを購入してビデオテープを見る者の数も伸びにくく、病院等の医療介護施設の収入増加には結びつきにくいのが現状である。
【０００６】
本発明は、以上の点に鑑みて創案されたものであり、病院等の医療介護施設の収入増加に寄与するコンテンツ提供システムを提供することを目的とする。
【課題を解決するための手段】
【０００７】
上記の目的を達成するために、本発明のコンテンツ提供システムは、医療介護施設と、該医療介護施設へコンテンツを提供するコンテンツ提供事業体とを有するコンテンツ提供システムであって、前記コンテンツ提供事業体は、前記医療介護施設へコンテンツを提供するコンテンツ提供手段を備え、前記医療介護施設は、前記コンテンツ提供事業体から提供されるコンテンツを受領するコンテンツ受領手段と、前記コンテンツ受領手段が受領したコンテンツを表示するコンテンツ表示手段とを備える。
【０００８】
ここで、コンテンツ提供手段及びコンテンツ受領手段によって、入院患者や老人ホーム入居者等の医療介護施設を利用する者は、わざわざ医療介護施設にコンテンツを持ち込むことなく、提供されたコンテンツを手にすることができる。また、コンテンツ表示手段によって、医療介護施設を利用する者は、コンテンツを視聴することができる。なお、ここでいう「コンテンツ」とは、映画、アニメーション、テレビドラマ、バラエティ番組等を意味する。
【０００９】
また、本発明のコンテンツ提供システムにおいて、コンテンツ提供手段が、通信網を介して医療介護施設へコンテンツを送信するコンテンツ送信手段を備え、コンテンツ受領手段が、コンテンツ送信手段からコンテンツを受信すると共に通信網を介してコンテンツ表示手段へコンテンツを配信するコンテンツ配信手段を備え、コンテンツ表示手段が、コンテンツ配信手段から配信されたコンテンツを受信するコンテンツ受信手段を備える場合には、例えばインターネットやＬＡＮ（構内通信網）を介してコンテンツ提供事業体から医療介護施設へコンテンツを送ったり、医療介護施設内で、例えばインターネットやＬＡＮを介して、売店、娯楽施設、事務局等から各部屋へコンテンツを送ったりすることができる。
【００１０】
また、本発明のコンテンツ提供システムにおいて、コンテンツ表示手段が、映像や音声を出力する出力手段と、プリペイドカードの度数情報を読み取ると共に度数の減算消却を行う度数処理手段と、ＤＶＤを再生するＤＶＤ再生手段と、課金体系を設定する課金設定手段とを備える場合には、テレビジョン放送の視聴、ビデオテープの視聴、ＤＶＤの視聴それぞれについて自由に課金体系を設定できる。ここでいう、「課金体系」とは、例えばテレビジョン放送の有料視聴、テレビジョン放送の無料視聴、ビデオテープの視聴課金、ＤＶＤの視聴課金、課金比率（例えば１時間当たり１００円にするか２００円にするか等。）、従量課金（視聴時間に比例した課金）、定量課金（視聴時間に関係なく一日当たりの課金（一日のうち課金する時間帯も設定可）。）を指す。
【発明の効果】
【００１１】
本発明に係るコンテンツ提供システムは、病院等の医療介護施設の収入増加に寄与することができる。
【発明を実施するための最良の形態】
【００１２】
以下、本発明の実施の形態について図面を参照しながら説明し、本発明の理解に供する。図１は、本発明を適用したコンテンツ提供システムの一例を示す概略ブロック図である。
【００１３】
図１において、本発明を適用したコンテンツ提供システムは、コンテンツ提供事業体１と医療介護施設２とで構成されている。コンテンツ提供事業体１は、医療介護施設２へコンテンツを提供するよう構成されたコンテンツ提供手段３を備えており、コンテンツ提供手段３は、通信網９を介して医療介護施設２へコンテンツを送信するよう構成されたコンテンツ送信手段４を備えている。
また、医療介護施設２は、コンテンツ提供事業体１から提供されるコンテンツを受領するよう構成されたコンテンツ受領手段５と、コンテンツ受領手段５が受領したコンテンツを表示するよう構成されたコンテンツ表示手段６を備えており、コンテンツ受領手段は、コンテンツ送信手段４からコンテンツを受信すると共に通信網９を介してコンテンツ表示手段６へコンテンツを配信するよう構成されたコンテンツ配信手段７を備え、コンテンツ表示手段６は、コンテンツ配信手段７から配信されたコンテンツを受信するよう構成されたコンテンツ受信手段８を備えている。
【００１４】
医療介護施設のコンテンツ受領手段としては、具体的には例えば売店、娯楽施設、事務局等が挙げられ、コンテンツ配信手段としては、具体的には例えば売店、娯楽施設、事務局等に設置されたサーバ等が挙げられ、医療介護施設のコンテンツ表示手段としては、具体的には例えば各部屋に設置されたプリペイドカード式の、ビデオテープやＤＶＤ再生機能付き有料テレビジョン受像機等が挙げられる。
【００１５】
ここで、コンテンツ提供事業体が、医療介護施設へコンテンツを提供するよう構成されたコンテンツ提供手段を備えているのであれば、コンテンツ提供手段は必ずしも通信網を介して医療介護施設へコンテンツを送信するよう構成されたコンテンツ送信手段を備えていなくてもよく、コンテンツを提供できるのであれば例えば郵便、宅配、メール便等でもよい。郵便や宅配等でコンテンツが提供される場合には、コンテンツは、ビデオテープやＤＶＤ等の記録媒体に記録されて提供される。
【００１６】
また、入院患者や老人ホーム入居者等は、コンテンツを受領した売店、娯楽施設、事務局等のコンテンツ受領手段からビデオテープやＤＶＤ等の記録媒体を無料で借りたり、購入したりして、各部屋のコンテンツ表示手段でコンテンツを視聴できる。
【００１７】
また、医療介護施設が、コンテンツ提供事業体から提供されるコンテンツを受領するよう構成されたコンテンツ受領手段と、コンテンツ受領手段が受領したコンテンツを表示するよう構成されたコンテンツ表示手段を備えているのであれば、必ずしもコンテンツ受領手段は、コンテンツ送信手段からコンテンツを受信すると共に通信網を介してコンテンツ表示手段へコンテンツを配信するよう構成されたコンテンツ配信手段を備えていなくてもよく、また、コンテンツ表示手段は、コンテンツ配信手段から配信されたコンテンツを受信するよう構成されたコンテンツ受信手段を備えていなくてもよい。
【００１８】
また、コンテンツ提供事業体が、医療介護施設へコンテンツを提供するよう構成されたコンテンツ提供手段を備え、医療介護施設が、コンテンツ提供事業体から提供されるコンテンツを受領するよう構成されたコンテンツ受領手段と、コンテンツ受領手段が受領したコンテンツを表示するよう構成されたコンテンツ表示手段を備えているのであれば、コンテンツ表示手段は、通信網を介してコンテンツ受領手段へ、配信して欲しいコンテンツを要求するよう構成されたコンテンツ要求手段を備えていてもよく、また、コンテンツ受領手段は、通信網を介してコンテンツ提供事業体へ、提供して欲しいコンテンツを要求するよう構成されたコンテンツ要求手段を備えていてもよい。
【００１９】
次に、コンテンツ表示手段について説明する。
本発明のコンテンツ提供システムにおいて使用するコンテンツ表示手段は、映像や音声を出力する出力手段と、プリペイドカードの度数情報を読み取ると共に度数の減算消却を行う度数処理手段と、ＤＶＤを再生するＤＶＤ再生手段と、課金体系を設定する課金設定手段とを備えている。
【００２０】
ここで、課金体系を設定する課金設定手段によって、テレビジョン放送の視聴、ビデオテープの視聴、ＤＶＤの視聴それぞれについて自由に課金体系を設定できる。
【００２１】
図２は、コンテンツ表示手段の一例を示す概略図である。図２において、テレビジョン受像機１１（出力手段の一例である。）は、病院や老人ホームの各部屋のベッド側方に置いてある床頭台１０に載置されており、カード挿入口１３から挿入されたプリペイドカードの度数情報を読み取ると共に度数の減算消却を行う度数処理手段（カードタイマー）（図示せず。）と、読み取った度数情報を表示する度数表示手段１４と、プリペイドカードを取出すカード取出しボタン１５と、ビデオテープ挿入口１６から挿入されたビデオテープを再生するビデオテープ再生手段（図示せず。）と、ビデオテープを取出すビデオテープ取出しボタン１７と、ＤＶＤ挿入口１８から挿入されたＤＶＤを再生するＤＶＤ再生手段（図示せず。）と、ＤＶＤを取出すＤＶＤ取出しボタン１９と、テレビジョン一般放送視聴の課金並びにビデオテープやＤＶＤ視聴の課金を、従量課金とするかまたは定量課金とするかの設定や課金比率の設定等を行なう課金設定ボタン２０（課金設定手段の一例である。）とを備えた課金装置１２は床頭台１０に組み込まれ、課金装置１２とテレビジョン受像機１１とは接続されている。また課金装置１２を操作できるコントローラ２１が接続線２２によって課金装置１２に接続されている。コントローラが接続線によって課金装置に接続されているので、コントローラの紛失を防止できるが、必ずしも接続線によってコントローラが課金装置に接続されていなくてもよい。
【００２２】
ここで、カードタイマーとＤＶＤ再生手段とが一体となって課金装置に取付けられているが、コンテンツ表示手段が、出力手段と、度数処理手段と、ＤＶＤ再生手段と、課金設定手段とを備えていれば、必ずしもカードタイマーとＤＶＤ再生手段とが一体となっていなくてもよく、それぞれ別体としてもよいが、カードタイマーとＤＶＤ再生手段とが一体となっていれば、操作性やメンテナンス性が向上し、また納入し易く好ましい。
また、コンテンツ表示手段が、出力手段と、度数処理手段と、ＤＶＤ再生手段と、課金設定手段とを備えていれば、必ずしもビデオテープ再生手段を備えていなくてもよい。
【００２３】
次に、課金方法について説明する。図３は、本発明のコンテンツ提供システムでの課金方法の一例を示す概略フロー図である。
カードタイマーの電源はオン（入）になっているがテレビジョン受像機の電源はオフ（切）になっている状態で、プリペイドカードがカード挿入口に挿入される（ステップＳ１）。プリペイドカードが挿入されると、テレビジョン受像機の電源がオンになり、テレビジョン一般放送の視聴が可能となってテレビジョン放送の視聴が課金され始める（度数減算開始）と共に、ＤＶＤ再生手段（ＤＶＤプレーヤー）の電源もオンになる（ステップＳ２）。次に、ＤＶＤがＤＶＤ挿入口に挿入されると、テレビジョン受像機がビデオモードに切り替わり、ＤＶＤが再生されてＤＶＤの視聴が課金され始める（ステップＳ３）。ここで、課金設定手段によって、テレビジョン放送視聴の場合は２時間で１００円の課金体系に設定され、ＤＶＤ視聴の場合は２時間で２００円の課金体系に設定されているというように異なる設定がなされている場合には、自動的にＤＶＤ視聴の場合の課金体系に切り替わる。なお、一時停止状態でも、時間に比例して度数は減算され続ける。そして、ＤＶＤの視聴が終わると、ＤＶＤ取出しボタンを押してＤＶＤが排出され（ステップＳ４）、ＤＶＤの視聴課金は終了すると共に再びテレビジョン放送の視聴が課金され始め、自動的にテレビジョン放送視聴の場合の課金体系に切り替わる。そして、コントローラ等によってテレビジョン受像機の電源をオフにすると（ステップＳ５）、テレビジョン放送視聴課金は終了し、プリペイドカードが排出される（ステップＳ６）。ビデオテープを視聴する場合も同様である。
【００２４】
また、コンテンツ提供事業体が、医療介護施設へコンテンツを提供するよう構成されたコンテンツ提供手段を備え、医療介護施設が、コンテンツ提供事業体から提供されるコンテンツを受領するよう構成されたコンテンツ受領手段と、コンテンツ受領手段が受領したコンテンツを表示するよう構成されたコンテンツ表示手段を備えているのであれば、コンテンツ受領手段は、通信網を介してコンテンツ表示手段の課金体系の設定を行なうよう構成された課金設定信号送信手段を備えていてもよい。
【００２５】
このように、本発明を適用したコンテンツ提供システムは、病院や老人ホーム等の医療介護施設へ、コンテンツ提供事業体が、映画、アニメーション、テレビドラマ、バラエティ番組等のコンテンツを、ビデオテープやＤＶＤ等の記録媒体に記録した形式にして提供したり、コンテンツをデジタル化して通信網を介して提供したりするので、テレビジョン放送を見るための料金を支払うことに抵抗感を持った入院患者やホーム入居者等の施設利用者も、レンタルビデオ店でビデオやＤＶＤを借りる感覚で、提供されたコンテンツの中から好きな内容のものを選び、病院や老人ホーム等の各部屋に設置された有料のテレビジョン受像機で見るために、プリペイドカード等を購入するようになり、その結果、病院や老人ホーム等の医療介護施設の収入増加に寄与することができる。
【００２６】
また、本発明を適用したコンテンツ提供システムでは、通信網を介して、コンテンツ提供事業体と医療介護施設とが通信可能であり、また、医療介護施設内でも、売店、娯楽施設、事務局等のコンテンツ受領手段と、各部屋に設置されたプリペイドカード式の、ビデオテープやＤＶＤ再生機能付き有料テレビジョン受像機等のコンテンツ表示手段とが通信可能であるので、入院患者や老人ホーム入居者等は各部屋に居ながら希望のコンテンツを売店、娯楽施設、事務局等にあるサーバに要求して配信してもらうことができ、また、売店、娯楽施設、事務局等にあるサーバも、入院患者や老人ホーム入居者等から要求されたコンテンツをコンテンツ提供事業体に要求して送信してもらうことができ、より一層コンテンツを視聴するために、プリペイドカード等を購入し、病院や老人ホーム等の医療介護施設の収入増加に寄与することができる。
【００２７】
また、コンテンツ表示手段が、課金体系を設定する課金設定手段を備えているので、医療介護施設の運営者は、テレビジョン放送の視聴、ビデオテープの視聴、ＤＶＤの視聴それぞれについて自由に課金体系を設定でき、入院患者や老人ホーム入居者が多く視聴する時間帯や多く視聴するものに課金する割合を増やす等することによって効率よく収入を増加できる。
【図面の簡単な説明】
【００２８】
【図１】本発明を適用したコンテンツ提供システムの一例を示す概略ブロック図である。
【図２】コンテンツ表示手段の一例を示す概略図である。
【図３】本発明のコンテンツ提供システムでの課金方法の一例を示す概略フロー図である。
【符号の説明】
【００２９】
１    コンテンツ提供事業体
２    医療介護施設
３    コンテンツ提供手段
４    コンテンツ送信手段
５    コンテンツ受領手段
６    コンテンツ表示手段
７    コンテンツ配信手段
８    コンテンツ受信手段
９    通信網
１０    床頭台
１１    テレビジョン受像機
１２    課金装置
１３    カード挿入口
１４    度数表示手段
１５    カード取出しボタン
１６    ビデオテープ挿入口
１７    ビデオテープ取出しボタン
１８    ＤＶＤ挿入口
１９    ＤＶＤ取出しボタン
２０    課金設定ボタン
２１    コントローラ
２２    接続線
【図１】
2007128303.tif 000003
【図２】
2007128303.tif 000004
【図３】
2007128303.tif 000005